(57)【要約】【課題】複数の映像表示装置から一つの映像表示装置を選択して映像を視聴する場合に、視聴者の好みの色味（色補正）設定を個々の映像表示装置毎に行うのは煩わしい。【解決手段】映像視聴時に視聴者が装着する映像視聴用眼鏡に、視聴者の好みの色味情報等を保持しておく。視聴者が映像を視聴する際には、映像視聴用眼鏡と映像表示装置との間で通信をおこなうことにより、映像視聴用眼鏡に保持された視聴者の好みの色情報が映像表示装置へ伝達され、映像表示装置はその情報に基づいて表示する映像等の色味を補正する。【選択図】図５
2012195923.tif 000002
【特許請求の範囲】
【請求項１】
映像表示装置に表示された映像の視聴を補助する映像視聴用眼鏡であって、
前記映像表示装置が表示する映像からの光が該映像視聴用眼鏡を装着する利用者の左眼へ入射する際の光の特性を制御する左眼シャッター部と、
前記映像表示装置が表示する映像の光が該映像視聴用眼鏡を装着する利用者の右眼へ入射する際の光の特性を制御する右眼シャッター部と、
視聴者の嗜好に関する情報である視聴情報を保持する記憶部と、
前記記憶部に記録された視聴情報を前記映像表示装置へ送信する送信部と、
前記視聴情報を送信した映像表示装置から、該視聴情報に基づいて生成された前記左眼シャッター、及び、右眼シャッターの駆動を指示するコマンドを受信する受信部と、
前記コマンドに従って、前記左眼シャッター、及び、右眼シャッターを開閉制御するシャッター駆動部と、
を備える映像視聴用眼鏡。
【請求項２】
前記記憶部は、該映像視聴用眼鏡に固有の情報である眼鏡固有情報をさらに含み、
前記送信部は、前記記憶部に記録された視聴情報と、眼鏡固有情報と、を前記映像表示装置へ送信し、
前記受信部は、前記視聴情報と、前記眼鏡固有情報と、を送信した映像表示装置から、該視聴情報と、眼鏡固有情報とに基づいて生成された、前記左眼シャッター、及び、右眼シャッターの駆動を指示するコマンドを受信し、
前記駆動部は、前記コマンドに従って、前記左眼シャッター、及び、右眼シャッターを開閉制御する、
請求項１に記載の映像視聴用眼鏡。
【請求項３】
映像を表示する映像表示装置であって、
前記映像の視聴を補助する映像視聴用眼鏡から視聴者の嗜好に関する情報である視聴情報を受信する受信部と、
前記視聴情報に基づいて、表示する映像を変更する、画像処理部と、
前記画像処理部が変更した映像を表示するパネル部と、
前記視聴情報に基づいて前記映像視聴用眼鏡の左眼用シャッター及び右眼用シャッターを駆動させるコマンドを生成する演算部と、
前記コマンドを前記映像視聴用眼鏡へ送信する送信部と、
を備える映像表示装置。
【請求項４】
前記受信部は、前記映像視聴用眼鏡に固有の情報であるめがね固有情報を、前記映像視聴用眼鏡から受信し、
前記画像処理部は、前記視聴情報、及び、固有情報に基づいて表示する映像を変更し、
前記演算部は、前記視聴情報と固有情報とに基づいて前記コマンドを生成し、
前記送信部は、演算部が生成したコマンドを送信する、
請求項請求項３に記載の映像表示装置。
【請求項５】
外部サーバーから前記映像視聴用眼鏡の固有情報を取得する外部通信部をさらに備え、
前記画像処理部は、前記視聴情報、及び、前記外部通信部を介して取得した固有情報に基づいて表示する映像を変更し、
前記演算部は、前記視聴情報と前記外部通信部を介して取得した固有情報とに基づいて前記コマンドを生成する、
請求項４に記載の映像表示装置。
【請求項６】
映像表示装置と、該映像表示装置が表示する映像の視聴を補助する映像視聴用眼鏡と、を有する映像視聴システムであって、
前記映像視聴用眼鏡は、
前記映像表示装置が表示する映像からの光が該映像視聴用眼鏡を装着する利用者の左眼へ入射する際の光の特性を制御する左眼シャッター部と、
前記映像表示装置が表示する映像の光が該映像視聴用眼鏡を装着する利用者の右眼へ入射する際の光の特性を制御する右眼シャッター部と、
視聴者の嗜好に関する情報である視聴情報を保持する記憶部と、
前記記憶部に記録された視聴情報を前記映像表示装置へ送信する送信部と、
前記視聴情報を送信した映像表示装置から、該視聴情報に基づいて生成された前記左眼シャッター、及び、右眼シャッターの駆動を指示するコマンドを受信する受信部と、
前記コマンドに従って、前記左眼シャッター、及び、右眼シャッターを開閉制御するシャッター駆動部と、
を備え、
前記映像表示装置は、
前記映像の視聴を補助する映像視聴用眼鏡から視聴者の嗜好に関する情報である視聴情報を受信する受信部と、
前記視聴情報に基づいて、表示する映像を変更する、画像処理部と、
前記画像処理部が変更した映像を表示するパネル部と、
前記視聴情報に基づいて前記映像視聴用眼鏡の左眼用シャッター及び右眼用シャッターを駆動させるコマンドを生成する演算部と、
前記コマンドを前記映像視聴用眼鏡へ送信する送信部と、
を備える、
映像視聴システム。
【発明の詳細な説明】
【技術分野】
【０００１】
本発明は、映像視聴者が、映像表示装置が表示する映像を映像視聴用眼鏡を用いて視聴するための、映像表示装置、映像視聴用眼鏡、及び映像視聴システムに関する。
【背景技術】
【０００２】
特許文献１には、表示装置に左眼及び右眼用映像を交互に表示し、この表示に同期して立体映像を視聴可能とする映像システムについて記載されている。
【先行技術文献】
【特許文献】
【０００３】
【特許文献１】特開平７−  ４６６３１号公報
【発明の概要】
【発明が解決しようとする課題】
【０００４】
従来から、ＴＶ等の映像表示装置には視聴者の好みの色味を設定する調整項目があった。ひとつの家庭に複数のＴＶ等がある場合、視聴者はそれぞれのＴＶで好みの色味を全てのＴＶについて設定する必要があった。、
【０００５】
また家庭に複数人の視聴者がいる場合、その視聴者毎に好みの色味が異なるため、あるＴＶである視聴者が映像等を視聴するたびに、好みの色に再設定しなおす必要があった。
【０００６】
本出願の発明は、このように視聴者の好みの色味等をわざわざ視聴者が映像を視聴するたびに再設定する必要がなくなる、若しくは、その頻度が抑制されることを目的とする。
【課題を解決するための手段】
【０００７】
本出願の映像視聴用眼鏡は、映像表示装置が表示する映像からの光が該映像視聴用眼鏡を装着する利用者の左眼へ入射する際の光の特性を制御する左眼シャッター部と、映像表示装置が表示する映像の光が該映像視聴用眼鏡を装着する利用者の右眼へ入射する際の光の特性を制御する右眼シャッター部と、視聴者の嗜好に関する情報である視聴情報を保持する記憶部と、記憶部に記録された視聴情報を映像表示装置へ送信する送信部と、視聴情報を送信した映像表示装置から、該視聴情報に基づいて生成された前記左眼シャッター、及び、右眼シャッターの駆動を指示するコマンドを受信する受信部と、コマンドに従って、左眼シャッター、及び、右眼シャッターを開閉制御するシャッター駆動部と、を備える
【０００８】
これにより、映像視聴用眼鏡を視聴する視聴者の嗜好に好適な、左右シャッターの開閉制御が行われ、視聴者はより好ましい映像視聴が可能となる。
【０００９】
また、本出願の映像表示装置は、映像の視聴を補助する映像視聴用眼鏡から視聴者の嗜好に関する情報である視聴情報を受信する受信部と、視聴情報に基づいて表示する映像を変更する画像処理部と、画像処理部が変更した映像を表示するパネル部と、視聴情報に基づいて映像視聴用眼鏡の左眼用シャッター及び右眼用シャッターを駆動させるコマンドを生成する演算部と、コマンドを映像視聴用眼鏡へ送信する送信部と、を備える
【００１０】
これにより、映像表示装置は、映像視聴用眼鏡を着用する視聴者の好みに適応した、映像表示を行うことが可能となる。
【００１１】
本出願の映像視聴システムは、映像表示装置と、該映像表示装置が表示する映像の視聴を補助する映像視聴用眼鏡と、を有し、映像視聴用眼鏡は、映像表示装置が表示する映像からの光が該映像視聴用眼鏡を装着する利用者の左眼へ入射する際の光の特性を制御する左眼シャッター部と、映像表示装置が表示する映像の光が該映像視聴用眼鏡を装着する利用者の右眼へ入射する際の光の特性を制御する右眼シャッター部と、視聴者の嗜好に関する情報である視聴情報を保持する記憶部と、記憶部に記録された視聴情報を映像表示装置へ送信する送信部と、視聴情報を送信した映像表示装置から、該視聴情報に基づいて生成された左眼シャッター、及び、右眼シャッターの駆動を指示するコマンドを受信する受信部と、コマンドに従って左眼シャッター、及び、右眼シャッターを開閉制御するシャッター駆動部と、を備え、映像表示装置は、映像の視聴を補助する映像視聴用眼鏡から視聴者の嗜好に関する情報である視聴情報を受信する受信部と、視聴情報に基づいて、表示する映像を変更する、画像処理部と、画像処理部が変更した映像を表示するパネル部と、視聴情報に基づいて映像視聴用眼鏡の左眼用シャッター及び右眼用シャッターを駆動させるコマンドを生成する演算部と、コマンドを映像視聴用眼鏡へ送信する送信部と、を備える。
【００１２】
これにより、映像視聴システムは、視聴者の嗜好情報を映像視聴用眼鏡から映像表示装置へ好適なタイミングで送信され、映像表示装置はその情報に従って、表示する画像の一部調整、また、映像視聴用眼鏡の左右シャッターを開閉制御タイミングを調整する。映像視聴者は、自分の嗜好に適応した映像を好適な視聴条件で視聴することが可能となる。
【発明の効果】
【００１３】
本出願の発明により、視聴者は好みの色味をわざわざＴＶ等の映像表示装置に入力する必要がなくなり、簡便にＴＶへ好みの表示の色味を設定することができる。
【図面の簡単な説明】
【００１４】
【図１】映像視聴システムの構成を示す図
【図２】本実施の形態で説明する映像表示装置の機能構成図
【図３】本実施の形態で説明する映像視聴用眼鏡の機能構成図
【図４】本実施の形態で説明する映像視聴用眼鏡に保持されるデータ例を示す図
【図５】本実施の形態で説明する、映像表示装置、映像視聴用眼鏡の制御フローチャート
【発明を実施するための形態】
【００１５】
＜１  映像システムの構成＞
図１は、本実施の形態で説明する映像表示装置と、映像視聴用眼鏡で構成される映像システムの概略を示す図である。映像視聴システム１００は、映像表示装置１１０と、映像視聴用眼鏡１２０とを備える。
【００１６】
映像表示装置１１０は、視聴者へ提供する映像を表示する。映像視聴用眼鏡１２０は、映像表示装置１１０が表示した映像を視聴者へ、より好適に視聴させるための動作を行う。
【００１７】
映像視聴システム１００の例として、例えば、映像表示装置１１０が３Ｄ（立体）映像を表示し、映像視聴用眼鏡１２０が視聴者の左眼へ立体映像の左眼用映像を、右眼へ立体映像の右眼用映像を、視聴させるものがある。
【００１８】
また別の例として映像表示装置１１０が第１の番組と第２の番組を時間的に交互に切り換えて表示するような場合に、映像視聴用眼鏡１２０が第１の番組、第２の番組のいずれかのみを選択的に視聴者に視聴させる動作を行うものもある。
【００１９】
上記の例でしめした映像視聴システム１００において、本実施の形態で説明する発明は、映像表示装置１１０と映像視聴用眼鏡１２０とが情報の交換（データの送受信）をおこなうことで、より連携した制御を行い、視聴者により好適な映像視聴システムを提供する。
【００２０】
＜２  映像表示装置の機能構成＞
図２は、映像表示装置１１０の機能構成を示した図である。映像表示装置２００（１１０）は、デコーダ（符号化信号復号）部２０１と、画像処理部２０２と、パネル駆動部２０３と、パネル部２０４と、外部通信部２０５と、色未設定部２０６と、送受信部２０７と、演算部（ＣＰＵ）２０８と、メモリ部２０９と、を備える。
【００２１】
デコーダ部２０１は、符号化された映像信号を復号する。本実施の形態では、符号化された映像信号（ストリーム）が映像表示装置２００の外部から入力されている例を図２に示しているが、本実施の形態はこれに限定されない。符号化された映像信号が映像表示装置内の記録部等から読み出したものであってもよい。
【００２２】
画像処理部２０２は、デコーダ部２０１で復号された映像信号に各種の画像処理を実施する。各種の画像処理とは、例えば、（１）後述する色味設定部２０６からの指示による画像の色補正処理、（２）パネル部２０４の表示特性に応じた輝度、コントラスト調整等の画質処理、（３）立体映像や複数コンテンツを表示する際のクロストークを抑制するためのクロストーク対応処理、（４）映像表示時のフレームレートをより高速に行うフレームレート変換処理等、などがあげられる。画像処理部２０２は、映像表示装置２００が表示する映像がより好適なものになるような各種の画像処理を行う。
【００２３】
パネル駆動部２０３は、デコーダ部２０１、画像処理部２０２で処理された映像信号（デジタル映像信号）をパネル部２０４が表示できるようにパネルの入力形式にあった（アナログ）電気信号で出力する。
【００２４】
パネル部２０４は、パネル駆動部２０３から入力される駆動電気信号等により、その表示素子を電気的に変化させ、所望の映像を表示する。パネル部２０４の具体的な表示デバイスとしては、液晶ディスプレイパネルや、プラズマディスプレイパネル等、様々なものが利用可能である。
【００２５】
外部通信部２０５は、映像表示装置２００の外部に問合せを行う場合に利用する通信インターフェイスである。外部通信部２０５は、インターネットを介して外部サーバー２１０へ接続する。
【００２６】
色味設定部２０６は、演算部（ＣＰＵ）２０８の指示に従って、表示する映像の色味を設定（表示する映像の色を微調整するような変更）する。色味の設定とは、例えば表示する映像を、予め定められた色の嗜好に合うように微修正するようなものや、映像を視聴している環境の条件に応じて視聴者が認識し易い色へ微調整する等、本来の画像が持つ色を、一部、又は全体を変更することを意味する。
【００２７】
送受信部２０７は、映像視聴用眼鏡１２０との間で制御データ等を交換（送受信）する。データ送受信は、赤外線、無線、有線など特定の方式に限定されるものではない。
【００２８】
ＣＰＵ（演算部）２０８は、上記の外部通信部２０５、色味設定部２０６、送受信部２０７、メモリ部２０９等を制御する。最も主要な制御の一つは、パネル部２０４に表示される画像と同期して送受信部２０７から映像視聴用眼鏡１２０へ対してシャッター駆動の制御信号を生成・送信することがある。これにより、映像視聴用眼鏡１２０は映像表示装置２００と同期してそのシャッター開閉制御を行うことが可能となる。
【００２９】
メモリ部２０９は、ＣＰＵ２０８上で動作するソフトウェアプログラムを保持したり、ＣＰＵ２０８がソフトウェアプログラムを実行する際の各種変数を一時的に保持したりする。メモリ部２０９は、それ以外にも、ＣＰＵ２０８により色味設定部２０６が設定する色味に関する情報を保持したり、送受信部２０７が映像視聴用眼鏡１２０と送受信するデータを保持したり等、映像表示装置２００が必要とするデータの保持機能としての役割を持っている。
【００３０】
＜３  映像視聴用眼鏡の機能構成＞
図３は、映像視聴用眼鏡３００（１２０）の機能構成を示す図である。映像視聴用眼鏡３００は、電源部３０１と、送受信部３０２と、演算部（ＣＰＵ）３０３と、メモリ部３０４と、シャッター駆動部３０５と、シャッター部３０６と、スイッチ部３０７と、を備える。
【００３１】
電源（Ｐｏｗｅｒ）部３０１は、映像視聴用眼鏡３００全体へ電源を供給する。映像視聴用眼鏡３００が映像表示装置２００とは独立している（有線で接続されていない）場合、電源部３０１は、電池等で実現することが可能である。映像視聴用眼鏡３００が映像表示装置２００と有線で接続されている場合は、有線による電源供給端子等が電源部３０１に該当すると考えられる。
【００３２】
送受信部３０２は、映像表示装置２００との間で制御データ等を交換（送受信）する。データ送受信は、赤外線、無線、有線など特定の方式に限定されるものではない。
【００３３】
演算部（ＣＰＵ）３０３は、送受信部３０２、メモリ部３０４、シャッター駆動部３０５等を制御する。また、スイッチ部３０７からの入力も受け付ける。演算部３０３の主要な制御の一つは、映像表示装置２００から送信された制御信号を受信した送受信部３０２からの受信信号により、後述するシャッター駆動部３０５によりシャッター部３０６の左右シャッターを開閉制御することである。これにより映像視聴用眼鏡３００の左右シャッターは、映像表示装置２００が表示する映像と同期して開閉動作を行うことが可能となる。
【００３４】
メモリ部３０４は、演算部（ＣＰＵ）が実行するソフトウェアプログラムの保持、当該ソフトウェアプログラムを実行させる際に必要となる各種変数の一時的な保持等を行う。それ以外にも、メモリ部３０４は、ユーザの希望する色味情報を保持する等も行う。
【００３５】
シャッター駆動部３０５は、演算部３０３からの制御に基づいて後述するシャッター部３０６の左眼用シャッターと右眼用シャッターを開閉制御させるための電気信号をシャッター部３０６へ出力する。
【００３６】
シャッター部３０６は、映像視聴用眼鏡３００が映像視聴者によって装着された場合に視聴者の左眼と右眼に対応してそれぞれ設けられているシャッターである。このシャッターは、上述のシャッター駆動部３０５からの電気信号により開閉する。シャッターが開状態の時には、視聴者の眼へ映像表示装置が表示する映像光が入射する。シャッターが兵状態の時には、映像光が遮光、又は、大きく抑制される。
【００３７】
スイッチ部３０７は、映像視聴眼鏡３００を装着した視聴者からの指示を受け付ける入力部である。スイッチ部３０７からの入力は、演算部３０３により処理される。
【００３８】
＜４  映像表示装置と映像視聴用眼鏡の間で送受信されるデータ＞
図４は、映像視聴用眼鏡３００のメモリ部３０４に格納されている眼鏡保持データの一例を示す図である。このデータは、メーカー識別子４０１と、製品番号４０２と、シリアル番号４０３と、眼鏡ＩＤ４０４と、ＭＡＣ（Ｍｅｄｉａ  Ａｃｃｅｓｓ  Ｃｏｎｔｒｏｌ）４０５と、色味４０６と、明るさ４０７と、コントラスト４０８と、シャープネス４０９と、色温度４１０と、ガンマ特性４１１と、画質プロファイル４１２と、視聴者属性４１３と、シャッター透過特性４１４と、を有する。
【００３９】
眼鏡保持データ４００は大別すると、映像視聴用眼鏡３００に固有の情報と、映像視聴用眼鏡３００を利用する視聴者の嗜好情報と、を含んでいる。図４の例では、映像視聴用眼鏡３００に固有の情報（以下、眼鏡固有情報）は、メーカー識別子４０１と、製品番号４０２と、シリアル番号４０３と、眼鏡ＩＤ４０４と、ＭＡＣ（Ｍｅｄｉａ  Ａｃｃｅｓｓ  Ｃｏｎｔｒｏｌ）４０５と、シャッター透過特性４１４と、が該当する。視聴者の嗜好情報（以下、視聴情報）は、色味４０６と、明るさ４０７と、コントラスト４０８と、シャープネス４０９と、色温度４１０と、ガンマ特性４１１と、画質プロファイル４１２と、視聴者属性４１３と、が該当する。
【００４０】
映像視聴用眼鏡３００の演算部３０３は、眼鏡保持データをメモリ部３０４から読み出す。演算部３０３は、読み出したデータを送受信部３０２を介して、映像表示装置２００へ送信する。
【００４１】
映像視聴用眼鏡３００から上記データを受信した映像表示装置２００の演算部２０８は、受信したデータ内容に基づいて、色味設定部２０６、画質処理部２０２、パネル駆動部２０３等を制御し、好適な画像をパネル部２０４に表示する。
【００４２】
図４のデータは、映像表示装置２００と映像視聴用眼鏡３００間で送受信されるデータの一例を示すものである。これにより、映像視聴用眼鏡３００と映像表示装置２００が協調して動作することとなり、視聴者がより嗜好にあった画質を視聴することが可能となる。
【００４３】
メーカー識別子４０１は、当該映像視聴用眼鏡３００の製造メーカー・販売メーカー等を示す識別子である。これにより、映像表示装置２００は、映像視聴者が装着する映像視聴用眼鏡３００が映像表示装置２００との組み合わせが可能か否か等を判断することができる。
【００４４】
製品番号４０２は、当該映像視聴用眼鏡３００の製品番号（製品の種類を識別する番号）を示す。データ４００を受信した映像表示装置２００は、このデータにより映像表示装置２００との組み合わせが可能か否かを判断することができる。
【００４５】
シリアル番号４０３は、他のメーカー識別子４０１又は製品番号４０２等と組み合わせて固体を識別する識別番号である。このデータにより映像表示装置２００は、組み合わせられる映像視聴用眼鏡３００を個々に識別することができる。
【００４６】
眼鏡ＩＤ４０４は、映像視聴用眼鏡３００に設定された識別子である。この識別子は、映像視聴用眼鏡３００製造時に登録されるものであっても、また、映像視聴用眼鏡３００の利用者が設定するもののいずれであってもよい。眼鏡ＩＤ４０４が、すべての映像視聴眼鏡３００で異なる識別子を持つ場合、映像表示装置２００は個々の眼鏡を識別することができる。また、複数の映像視聴用眼鏡２００で共通の識別子を持つ場合は、映像表示装置２００は、この眼鏡ＩＤ４０４の値に基づいて映像視聴眼鏡３００をグループ（群）単位で識別することができる。
【００４７】
ＭＡＣ４０５は、ＭＡＣアドレス（Ｍｅｄｉａ  Ａｃｃｅｓｓ  Ｃｏｎｔｒｏｌ  ａｄｄｒｅｓｓ）を意味し、映像表示装置２００の送受信部２０７や、映像視聴用眼鏡３００の送受信部３０２に個々に割り当てられた識別子である。
【００４８】
色味４０７は、映像視聴用眼鏡３００の利用者が好む色調を予め表すデータである。本実施の形態での例では、ＲＧＢ信号を構成する色事に標準より増減される値を持たせた場合を例として示しているが、これに限定するものではない。他の表現方式であってもよい。映像視聴用眼鏡３００から色味４０６のデータを受信した映像表示装置２００は、演算部２０８により色味設定部２０６が制御される。色味設定部２０６は、画質処理部２０２を介して、表示する画像の色味を受信した色味４０６のデータに基づいて補正する。パネル部２０４には、この色補正された画像データが表示される。これにより映像視聴用眼鏡３００を装着した視聴者は、映像視聴用眼鏡３００を装着して映像表示装置２００の画像を視聴するだけで、このみの色補正処理が行われた画像を視聴することができる。
【００４９】
明るさ４０７は、視聴者が好む画像の明るさレベルを示すデータである。このデータを受信した映像表示装置２００は、表示する画像の明るさを明るさ４０７で示される分だけ画像データを補正して表示する。これにより、視聴者はより見やすい映像を視聴することが可能となる。
【００５０】
コントラスト４０８は、視聴者が好む画像のコントラストの大きさを示すデータである。このデータを受信した映像表示装置２００は、表示する画像のコントラストをデータで示される値で補正して表示する。これにより、視聴者は視聴者が認識し易いコントラスト値を有する画像を視聴することができる。
【００５１】
シャープネス４０９は、視聴者が好む画像が有する輪郭の明確さを表すデータである。映像表示装置２００は、このデータを受信すると、表示する画像の輪郭明確度を補正する。これにより、視聴者が好む画質を有する画像を映像表示装置２００は表示することが可能となる。
【００５２】
色温度４１０は、視聴者が好む画像の色温度を示す。映像表示装置２００は、このデータを受信する表示する画像の色温度を指定された分だけ補正して表示する。これにより、視聴者の好む色温度を有する画像を映像表示装置２００は表示することが可能となる。
【００５３】
ガンマ特性４１１は、視聴者が好む画像が有するガンマ特性を表すデータを示すものである。これにより映像表示装置２００は、ガンマ特性を補正した画像を表示することができる。
【００５４】
画質プロファイル４１２、上記の色味４０６〜色温度４１０で示される細かいパラメータ値による設定ではなく、画質の一般的な傾向の好みを示すデータである。例えば、画質プロファイル４１２が「ビビッド」である場合は、表示される画像の色味が原色に近い色味を持った画像等に補正される。また、「スタンダード」では、画像の補正を行なわない入力された画像をそのまま表示する、「ダイナミック」では、比較的明るさを明るめにし、コントラストもより強くした画像を表示する、等で解釈される画像補正の方式を示す。映像表示装置２００はこのデータを受信すると、それぞれのプロファイル項目に予め割り当てられた画像補正処理をおこなって画像を表示する。これにより、視聴者はより簡便に好みの画像を視聴することが可能となる。
【００５５】
視聴者属性４１３は、映像視聴用眼鏡３００を装着する視聴者の属性を識別するデータである。このデータの種類としては、例えば男性、女性を識別する性別や、６０歳以上、
４０歳以上６０歳未満、２０歳以上４０歳未満、１０歳以上２０歳未満、３歳以上１０歳未満、３歳未満等の年齢構成、等がある。これらのデータを受信した映像表示装置２００は、例えば２０歳未満の年齢層に対しては所定の画像を視聴させないためのて立てを講じる等がある。具体的には、映像表示装置２００から映像視聴用眼鏡３００に送信されるシャッター駆動信号を左右両シャッターとも閉状態、又は、透過率を下げる状態とする等の制御を行うことが可能である。
【００５６】
シャッター透過特性４１４は、映像視聴用眼鏡３００が有するシャッター部３０６の光学的特性、特にその光の透過特性等を示すデータである。これによりユーザが装着する映像視聴用眼鏡３００に好適なシャッター駆動信号を映像表示装置２００は送信することができる。
【００５７】
本実施の形態では、上記のメーカー識別子４０１〜シャッター透過特性４１４で示したデータを用いた場合について説明するが、本出願の発明は上記の内容に限定されない。映像視聴用眼鏡３００が保持し、その映像視聴用眼鏡３００の特性又は、映像視聴用眼鏡３００を装着する視聴者の嗜好等、を示すデータであって、それらのデータが映像視聴用眼鏡３００から映像表示装置２００へ送信された結果、映像表示装置２００の制御動作がこれらのデータに基づいて制御内容が決定されるものであれば、いずれのデータであってもよい。
【００５８】
＜５  映像表示装置と映像視聴用眼鏡の制御フロー＞
図５は、映像表示装置２００と、映像視聴用眼鏡３００と、の制御内容を示すフローチャートである。ステップＳ５０１〜ステップＳ５０５は、映像視聴用眼鏡３００のフローチャート、ステップＳ５１０〜ステップＳ５１Ｘは、映像表示装置２００のフローチャートである。
【００５９】
（ステップＳ５０１）映像視聴用眼鏡３００は、視聴者等から電源ＯＮの指示を受ける。この指示は、例えばスイッチ部３０７による外部入力で検出することが可能である。別の検出方法として、映像視聴用眼願３００の内部に加速度センサー等を設けておき、利用者が映像表示装置３００を持ち上げたりすることを加速度センサー等で検出することで、映像視聴用眼鏡３００のシャッター開閉制御に必要な機能部に電源供給を開始するものであってもよい。
【００６０】
（ステップＳ５０２）映像視聴用眼鏡３００の演算部３０３は、メモリ部３０４から、映像表示装置２００へ送信する各種データを読み出す。ここで読み出されるデータは、例えば図４で示したデータ全体であってもよいし、一部のデータであってもよい。電源起動時に映像視聴用眼鏡３００から、映像表示装置２００へ送信するデータが予め規定されている場合は、その規定上必要なデータのみを読み出すものであっても良い。
【００６１】
（ステップＳ５０３）演算部３０３は、送受信部３０２を介して、メモリ部３０４から読み出したデータを映像表示装置２００へ送信する。送受信には、ＩＲ等の光波であってもよいし、ＲＦを用いた無線によるもの、あるいは有線信号、のいずれの方式を用いるものであっても良い。
【００６２】
（ステップＳ５０４）送受信部３０２は、映像表示装置２００からシャッター部３０６を駆動させるための制御信号を受信する。
【００６３】
（ステップＳ５０５）演算部３０３は、送受信部３０２により受信されたシャッター部３０６を開閉制御させるための制御信号を解析する。その解析結果に基づいて、演算部３０３は、シャッター駆動部３０５へ駆動信号を送る。シャッター駆動部３０５は、演算部３０３からの駆動信号に基づいて、シャッターを開閉させる電信信号をシャッター部３０６へ出力する。ステップＳ５０４とステップＳ５０５の処理は、映像表示装置２００からシャッター開閉の制御信号が送信されている限り、又は、映像視聴用眼鏡３００の電力供給が停止されるまで続く。
【００６４】
（ステップＳ５１０）映像表示装置２００の送受信部２０７は、映像視聴用眼鏡３００から送信された情報（ステップＳ５０２）を、受信する。
【００６５】
（ステップＳ５１１）演算部２０８は、送受信部２０７を介して受信した情報に映像視聴用眼鏡３００のシャッターの透過性を示す情報が含まれているか否かを判断する。透過性情報が含まれている場合は、ステップＳ５１３へ制御を移す。透過性情報が含まれていない場合は、ステップＳ５１２へ制御を移す。
【００６６】
（ステップＳ５１２）映像視聴用眼鏡３００からの情報に透過性情報が含まれていない場合、演算部２０８は、メーカー識別子４０１、製品番号４０２等に基づいて、映像視聴用眼鏡３００の透過性情報を、外部通信部２０５を介して外部サーバー２１０等へ通信接続して取得する。
【００６７】
（ステップＳ５１３）演算部２０８は、映像視聴用眼鏡３００から受信した情報、又は、外部サーバー２１０から取得した情報に基づいて、それぞれの映像視聴用眼鏡３００を識別する眼鏡ＩＤ４０４、シャッター透過特性４１４、画質プロファイル４１２、等の情報をメモリ部２０９へ記録する。
【００６８】
（ステップＳ５１４）演算部２０８は、メモリ部２０９に記録した対象となる映像視聴用眼鏡３００のシャッター透過特性、画質プロファイル等の情報を利用して、映像表示装置２００が表示する画像を変更する。具体的には、演算部２０８は、画質プロファイルの情報に基づいて色味設定部２０６により変更等する色情報を決定する。決定された色情報により、画像処理部２０２は、表示画像の色データを変更する。
【００６９】
また、演算部２０８はシャッター透過特性に基づいて、映像視聴用眼鏡３００のシャッター開閉タイミングを決定する。シャッターの透過能力が比較的低い場合は、シャッター開状態を比較的長くすることで、視聴者の眼へ入射する表示画像の光が減少されることを抑制することができる。反対にシャッターの透過能力が比較的高い場合は、シャッター開状態を非アック的短くすることで、視聴者の眼へ入射する表示画像の光が所定以上に保たれるとともに、クロストーク等の影響も抑制することができ、視聴する画質を向上させることができる。
【００７０】
（ステップＳ５１５）演算部２０８は、画像の色データを変更等する場合は、その旨を視聴者に通知するため、表示画像上にＯＳＤ（Ｏｎ  Ｓｃｒｅｅｎ  Ｄｉｓｐｌａｙ）等の機能を用いて、当該情報を表示する。
【００７１】
（ステップＳ５１６）演算部は、表示画像と同期して映像視聴用眼鏡３００のシャッター開閉状態を制御するシャッター開閉制御信号を送受信部２０７を用いて、映像視聴用眼鏡３００へ送信する。
【００７２】
以上により、本実施の形態で説明する映像視聴システム１００は、映像表示装置２００と映像視聴用眼鏡３００とが、保有、又は生成する情報を送受信することで、それぞれの装置が有する特性、又は、視聴者の嗜好に適合した画像の表示、又は画像の視聴方法を実現することが可能となる。
【００７３】
また映像視聴用眼鏡３００が、それぞれの有する眼鏡の特性や、眼鏡を使用する視聴者の嗜好情報をそれぞれ有しているため、視聴者は自分の映像視聴用眼鏡３００に嗜好情報等を登録しておくだけで、映像表示装置２００、映像視聴用眼鏡３００により構成される映像視聴システム１００は、それぞれの視聴者に好適な画像表示、視聴方法を選択、決定する。これにより、視聴者は自分の嗜好情報等を映像視聴を見るたびに映像表示装置２００等へ入力することが無くなる。
【００７４】
なお、本実施の形態では、映像表示装置２００が、映像視聴用眼鏡３００のシャッター透過特性等を外部サーバー２１０へ問い合わせるために、外部通信部２０５を設けているが、これはかならずしも必要な構成ではない。ただ、外部サーバー２１０へ問い合わせることにより、図４で示す情報のうち、映像視聴用眼鏡３００の装置に固有の情報については、メーカー識別子４０１、製品番号４０２等を用いることで、代用される。すなわち、シャッター透過特性４１４等の情報については、映像視聴用眼鏡３００のメモリ部３０４に記録する必要はなくなり、外部通信部２０５が外部サーバー２１０へメーカー識別子４０１、製品番号４０２等で問い合わせて、取得することができる。これにより、映像視聴用眼鏡３００のメモリ部３０４のメモリ使用量を低減することが可能となる。
【００７５】
また、本実施の形態では、映像視聴用眼鏡３００に記録されているデータは、図４で示される一組のデータの場合について説明したが、これに限定されるものではない。メモリ部３０４等に複数のデータ４００を格納するものであってもよい。その場合は、それぞれのデータの組は、例えばデータＩＤ（視聴者ＩＤ）等で識別することが可能となる。一つの映像視聴用眼鏡３００を複数人で利用する場合、スイッチ部３０７等により、それぞれの視聴者がそれぞれのデータＩＤ（視聴者ＩＤ）を選択することで、それぞれの視聴者にあったデータを選択することができる。この場合は、一つの映像視聴用眼鏡３００を複数人で共有することが可能となる。
【００７６】
なお、本実施の形態では、映像表示装置２００、映像視聴用眼鏡３００の機能構成でＣＰＵ２０８、やＣＰＵ３０３等により制御される例をしめしたが、本実施の形態はこの実施態様に特定するものではない。すべての機能構成をハードウェアで実現してもよいし、ソフトウェアで実現してもよい。また、本実施の形態とは異なる方法でハードウェアとソフトウェアとの機能分担を実現するものであってもよい。
【産業上の利用可能性】
【００７７】
本実施の形態で説明した発明は、ＴＶやプロジェクタ等の画像を表示する装置と、これら画像を視聴する際に用いる映像視聴用眼鏡と、で利用することが可能である。特に、３Ｄ（立体）映像を眼鏡を用いて視聴する映像視聴システムに適用することが可能である。
【符号の説明】
【００７８】
１００  映像視聴システム
１１０、２００  映像表示装置
１２０、３００  映像視聴用眼鏡
２０１  デコーダ部
２０２  画像処理部
２０３  パネル駆動部
２０４  パネル部
２０５  外部通信部
２０６  色味設定部
２０７  送受信部
２０８、３０３  演算（ＣＰＵ）部
２０９、３０４  メモリ部
２１０  外部サーバー
３０１  電源部
３０２  送受信部
３０５  シャッター駆動部
３０６  シャッター部
３０７  スイッチ部
４００  データ
４０１  メーカー識別子
４０２  製品番号
４０３  シリアル番号
４０４  眼鏡ＩＤ
４０５  ＭＡＣ
４０６  色味
４０７  明るさ
４０８  コントラスト
４０９  シャープネス
４１０  色温度
４１１  ガンマ特性
４１２  画質プロファイル
４１３  視聴者属性
４１４  シャッター透過特性
【図１】
2012195923.tif 000003
【図２】
2012195923.tif 000004
【図３】
2012195923.tif 000005
【図４】
2012195923.tif 000006
【図５】
2012195923.tif 000007